(57)【特許請求の範囲】
【請求項１】
カウンターと、キャビネットと、該キャビネットの側面と壁との隙間を塞ぐフィラーと、からなる設備・家具セットであって、
前記カウンターは、前記キャビネットよりも大きな幅をもち、
前記フィラーは長方形断面であり、該長方形断面の長辺の寸法は前記カウンターの幅と前記キャビネットの幅との差に対応し、該長方形断面の短辺の寸法は前記カウンターの幅と前記キャビネットの幅との差の２分の１の寸法に対応して設定したことを特徴とする設備・家具セット。
【請求項２】
請求項１に記載した設備・家具セットの設置方法であって、
前記設備・家具セットを壁の片入隅部に設置する場合には、前記フィラーの長方形断面の長辺が正面側となるように前記キャビネットの片側面に取り付けるとともに、前記カウンターを前記キャビネット上部で且つ前記フィラー側の壁に寄せた状態で取り付け、
前記設備・家具セットを前記カウンターの幅に対応した内法寸法を有する壁の両入隅部に設置する場合には、前記フィラーの長方形断面の短辺が正面側となるように前記キャビネットの両側面に取り付けるとともに、前記カウンターを前記キャビネット上部に偏心することなく取り付けたことを特徴とする設備・家具セットの設置方法。
【発明の詳細な説明】
【技術分野】
【０００１】
本発明は、主に住宅に設置される洗面化粧台、厨房台、カウンター収納等の、キャビネットとカウンターとからなる箱物（箱状、あるいは略直方体形状）の設備・家具セットと、その設備・家具セットの設置方法に関するものである。
【背景技術】
【０００２】
箱物の設備・家具、例えば、主に住宅に設置される洗面化粧台は、その下部が箱状のキャビネットで構成され、該キャビネット内部には引き出し箱や開き戸が付加されて収納スペースとして活用されるのが一般的である。引き出し箱の前面板や開き戸を構成する前面板には化粧仕上げが施されており、前面板の幅は、キャビネットを構成する側板の小口を覆い隠して美観を保つ為に、キャビネットの幅とほぼ等しくなるように構成されるのが一般的である。
【０００３】
また、設置面積的な制約から、あるいはカウンター上に置かれる小物類の落下防止の点からも、洗面化粧台は、側面のいずれか一方あるいは両方を壁面に接するように設置する、即ち壁の片入隅部あるいは両入隅部に設置するケースがほとんどであり、両側面とも、壁面に接することなく空間をとって設置することは極めて稀である。
【０００４】
洗面化粧台を壁の入隅部に設置した場合、即ち洗面化粧台の一方あるいは両方の側面を側壁に接するように設置した場合、側壁あるいは側壁の開口部に設置されたドア枠の壁面からの突出部と、前面板あるいは開き戸の取手とが干渉して引し出し箱が引き出せない、あるいは開き戸が鈍角にしか開かず収納物の出し入れに支障を来たす、といった問題が生じることがある。
【０００５】
このような問題を解消する為に、例えば、特許文献１において従来の技術として開示されているように、側壁と洗面化粧台との間にスペーサーを介挿し、側壁と引し出し箱あるいは開き戸との間隔を確保することによって、干渉を防止することが行われてきた。
【０００６】
また、特許文献１では、キャビネット部に引き出し箱を設けた場合に関して、前面板に移動手段を設け前面板を側方に移動自在とすることによって干渉を防止する引き出し箱構造の提案がなされている。
【０００７】
【特許文献１】特開２００１−１１２５５８号公報
【発明の開示】
【発明が解決しようとする課題】
【０００８】
しかしながら、平坦なカウンターを有する洗面化粧台に対してスペーサを介挿した場合、スペーサーがカウンターよりも突出してしまい美観上の問題があった。
【０００９】
また、スペーサーの上端部をキャビネットの上端に揃えスペーサー上端部をカウンターで覆う構成とする（即ち、カウンター勝ちの納まりとする）ことも考えられるが、この場合、両入隅部に対応させたキャビネットの寸法とすると、片入隅部に設置した場合にスペーサーが不要となる側においてキャビネットよりもカウンターが突出してしまって美観上の問題が生じ、この美観上の問題を解決するには、片入隅対応と両入隅対応の幅の異なる２種類のキャビネットを用意する必要があり、誤発注やコストアップにつながるという問題があった。
【００１０】
特許文献１の引き出し箱構造の場合は、前面板が移動自在であるので前面板の位置が安定せず使い勝手がよくないという問題があった。
【００１１】
また、移動手段を付加することにより複雑な引き出し箱の構成となり、接する側壁の位置に応じて複数種のキャビネットを用意する必要もあって、製造コストが増加するという問題もあった。
【００１２】
また、引き出し箱の幅が大きく、キャビネットを縦に分割せず、一つの引き出し箱で構成し、且つ両入隅部に設置した場合には、前面板は左右のどちらにも移動することができず移動手段を備えたことが全く意味をなさなくなるという問題もあった。
【００１３】
更に、本引き出し箱構造は、開き戸を設けたキャビネットにおける前述した問題点を解消し得る技術ではなかった。
【００１４】
本発明は上記従来技術の問題点を解決し、部材の構成を比較的単純なものとしつつも片入隅部にも両入隅部にも対応可能で、しかも美観に優れた箱物の設備・家具セットおよびこの設備・家具セットの設置方法を提供することを目的とするものである。
【課題を解決するための手段】
【００１５】
上記課題を解決する為の本発明に係る箱物の設備・家具セットの構成は、カウンターと、キャビネットと、該キャビネットの側面と壁との隙間を塞ぐフィラーと、からなる設備・家具セットであって、前記カウンターは、前記キャビネットよりも大きな幅をもち、前記フィラーは長方形断面であり、該長方形断面の長辺の寸法は前記カウンターの幅と前記キャビネットの幅との差に対応し、該長方形断面の短辺の寸法は前記カウンターの幅と前記キャビネットの幅との差の２分の１の寸法に対応して設定したことを特徴とする。
【００１６】
また、本発明に係る設備・家具セットの設置方法は、前記設備・家具セットを用いて、前記設備・家具セットを壁の片入隅部に設置する場合には、前記フィラーの長方形断面の長辺が正面側となるように前記キャビネットの片側面に取り付けるとともに、前記カウンターを前記キャビネット上部で且つ前記フィラー側の壁に寄せた状態で取り付け、前記設備・家具セットを前記カウンターの幅に対応した内法寸法を有する壁の両入隅部に設置する場合には、前記フィラーの長方形断面の短辺が正面側となるように前記キャビネットの両側面に取り付けるとともに、前記カウンターを前記キャビネット上部に偏心することなく取り付けたことを特徴とする。
【発明の効果】
【００１７】
本発明に係る箱物の設備・家具セットは、フィラーの長方形断面の長辺の寸法をカウンターの幅とキャビネットの幅との差に対応させ、該フィラーの長方形断面の短辺の寸法をカウンターの幅とキャビネットの幅との差の２分の１の寸法に対応させている。そして、この構成によって、箱物の設備・家具セットを壁の片入隅部に設置する場合には、フィラーの長方形断面の長辺が正面側となるようにキャビネットの壁側の片側面に取り付けておいた上で、カウンターをフィラー側の壁に寄せた状態で取り付けることができ、箱物の設備・家具セットをカウンターの幅に対応した内法寸法を有する壁の両入隅部に設置する場合には、フィラーの長方形断面の短辺が正面側となるようにキャビネットの両側面に取り付けた状態で、カウンターをキャビネット上部に偏心することなく取り付けることができる。
【００１８】
従って、箱物の設備・家具セットを片入隅部、両入隅部のいずれに設置する場合であっても、フィラーの見付け幅分だけ箱物の設備・家具セットを側壁からオフセットして設置することができ、側壁や側壁の開口に取り付けられたドア枠とキャビネットの引き出し箱や開き戸との干渉の問題を解消することができる。
【００１９】
また、片入隅部に設置する場合と両入隅部に設置する場合とを比較すると、片入隅部に設置する場合に２本のフィラーのうちの１本が使用されないだけであり、箱物の設備・家具セットの他の構成部材は設置位置に拘らず全て共通に利用することができる。従って、構成部材として多くのバリエーションを持つ必要がなく、部材の製造コストを抑制することができる。
【００２０】
しかも、余剰のフィラーは断面が長方形で左右勝手がないので、回収し箱物の設備・家具セットの構成部材として無駄なく再利用することができる。
【００２１】
更に、カウンターより上にフィラーが突出することがなく、また、片入隅部に設置する場合には、フィラーの長方形断面の長辺が正面側となるように取り付けておきカウンターをフィラー側の壁に寄せた状態で取り付けることにより、箱物の設備・家具セットの開放面（側壁に接しない側面）側のキャビネットの側面からカウンターの端部が突出せずほぼ面一の構成とすることができる。従って、設置場所が片入隅部、両入隅部いずれの場合であっても箱物の設備・家具セットの美観を保つことができる。
【発明を実施するための最良の形態】
【００２２】
本発明にかかる設備・家具セット及びその設置方法の最も好ましい実施形態について図を用いて説明する。本実施形態は、洗面化粧台における一例であり、図１は洗面化粧台セットの構成部材を示す斜視図、図２は洗面化粧台セットを用いて設置された洗面化粧台の側面図、図３は洗面化粧台を壁の両入隅部に設置した場合の水平断面図、図４は洗面化粧台を壁の片入隅部に設置した場合の水平断面図、図５は洗面化粧台と側壁とのとりあい部分の拡大正面図である。
【００２３】
設備・家具セットとなる洗面化粧台セットＡは、所定の平面モジュールを有する工業化住宅において、モジュールの整数倍の芯芯寸法を有する壁の両入隅部に対応するとともに、片入隅部にも対応するように構成したものである。本住宅のモジュールは３０５ｍｍであり、室内の壁はモジュールに基づくピッチで直交する基準線上に配置されれる。壁厚は片側で芯より６１ｍｍに設定されている。従って、例えば両入隅部の両側壁の芯芯寸法がモジュールの５倍の１５２５ｍｍである場合、側壁間の内法寸法は１４０３ｍｍである。
【００２４】
図１及び図２に示す洗面化粧台セットＡは、中心位置に洗面ボウル１ａを備えたカウンター１と、カウンター１を支持するとともに引き出し２ａを備え内部を収納として利用されるキャビネット２と、キャビネット２の側面と側壁４との隙間を塞ぐ２本のフィラー３とで構成されており、これらの構成部材が同梱された状態で施工現場に搬入される。
【００２５】
カウンター１は略長方形板状であり、中央部がくり抜かれ凹状の洗面ボウル１ａが一体的に取り付けられている。
【００２６】
キャビネット２は箱状で、幅はカウンター１よりも２５ｍｍ小さく設定されている。即ち、カウンター１はキャビネット２よりも大きな幅を持って構成されている。キャビネット２の上面と前面は開放されており、上面にはカウンター１が載置される。キャビネット２の内部には、図３及び図４に示すように、側板２ｂの小口面をほぼ覆い隠す幅の前面板2a1を有する引き出し２ａが収容されている。キャビネット２の前面部、即ちキャビネット２の側板２ｂの表面、側板２ｂの前面側の小口面、蹴込部、及び引き出しの前面板2a1は同一の仕上げが施されている。
【００２７】
フィラー３は長方形断面でキャビネット２の高さに対応した長さを有し、４面ともキャビネット２の前面部と同一の仕上げが施されている。フィラー３の幅は、広い側で２８ｍｍであり、狭い側で１８ｍｍである。
【００２８】
即ち、フィラー３の長方形断面の長辺の寸法はカウンター１の幅とキャビネット２の幅との差に対応し、該フィラー３の長方形断面の短辺の寸法はカウンター１の幅とキャビネット２の幅との差の２分の１の寸法に対応して設定したものである。
【００２９】
設備・家具セットとなる洗面化粧台Ａ１がカウンター１の幅に対応した内法寸法を有する壁の両入隅部に設置される場合、図３に示すように、キャビネット２及びカウンター１は両側壁４からの離間寸法が均等となるように設置され、キャビネット２の両側面の隙間６にはフィラー３の幅狭の面が前面側（即ち、フィラー３の長方形断面の短辺が正面側）を向き、側板２ｂの小口面とほぼ揃うように設置される。キャビネット２の端部と両側壁４との間には、図５に示すように、コーキング材５の充填代としての隙間７が６．５ｍｍ確保されている。また、フィラー３が設置されるキャビネット２と側壁４との間には施工誤差の吸収のための１ｍｍのクリアランスを見込んだ隙間６が１９ｍｍ確保されている。
【００３０】
換言すると、フィラー３の狭い側の幅１８ｍｍは、カウンター１とキャビネット２の幅の差の２分の１の１２．５ｍｍに対しコーキング材５の充填代６．５ｍｍを加え更にクリアランス１ｍｍを引いて設定された値となっている。
【００３１】
ここで、設備・家具セットとなる洗面化粧台Ａ１を壁の両入隅部に設置する場合には、フィラー３の長方形断面の短辺が正面側となるようにキャビネット２の両側面に取り付けるとともに、カウンター１をキャビネット２の上部に偏心することなく取り付ける。
【００３２】
設備・家具セットとなる洗面化粧台Ａ１が側壁４の片入隅部に設置される場合は、図４に示すように、カウンター１が閉塞側の端部（図４の右端部）においてキャビネット２の側面から２．５ｍｍ突出し、側壁４とは前述した両入隅部に設置する場合と同様に図５に示すように、コーキング材５の充填代としての隙間７を６．５ｍｍ確保して設置される。そして、キャビネット２と側壁４との間には前述した両入隅部に設置する場合と同様に施工誤差の吸収のための１ｍｍのクリアランスを見込んだ隙間６が２９ｍｍ確保されており、フィラー３が幅広の面が前面側を向くように設置される。
【００３３】
換言すると、フィラー３の広い側の幅２８ｍｍは、カウンター１とキャビネット２の幅の差の２５ｍｍに対しコーキング材５の充填代６．５ｍｍとカウンター１の開放側の突出寸法１ｍｍとを加え更にクリアランス１ｍｍを引いて設定された値となっている。
【００３４】
ここで、設備・家具セットとなる本洗面化粧台Ａ１を壁の片入隅部に設置する場合には、フィラー３の長方形断面の長辺が正面側となるようにキャビネット２の片側面に取り付けるとともに、カウンター１をキャビネット２の上部で且つフィラー３側に寄せた状態で取り付ける。
【００３５】
上記の通り、キャビネット２の側面と側壁４との隙間６は最低でも１９ｍｍ確保される。一方、建具枠の「散り」は通常１２ｍｍ前後に設定される。従って洗面化粧台Ａ１近傍の側壁４に建具枠が設置されていたとしても引き出し２ａの前面板2a1と建具枠とが干渉して引き出し２ａの出し入れに支障をきたす虞がない。
【００３６】
また、設備・家具セットとなる本洗面化粧台Ａ１が壁の両入隅部に設置される場合と、壁の片入隅部にされる場合とを比較すると、使用するフィラー３の本数が異なるのみで他の構成部材は全く同一である。従って、構成部材として多くのバリエーションを持つ必要がなく、部材の製造コストを抑制することができる。
【００３７】
しかも、余剰のフィラー３は断面が長方形で左右勝手がないので、回収し洗面化粧台セットＡの構成部材として無駄なく再利用することができる。
【００３８】
更に、カウンター１より上にフィラ３ーが突出することがなく、また、設備・家具セットとなる洗面化粧台Ａ１を壁の片入隅部に設置する場合には、フィラー３の長方形断面の長辺が正面側となるように取り付けておきカウンター１をフィラー３側の壁に寄せた状態で取り付けることにより、洗面化粧台Ａ１の開放面（側壁４に接しない側面）側のキャビネットの側面からカウンターの端部が突出せずほぼ面一の構成とすることができる。従って、設置場所が壁の片入隅部、両入隅部いずれの場合であっても洗面化粧台Ａ１の美観を保つことができる。
【産業上の利用可能性】
【００３９】
本発明は、略長方形のカウンターと、カウンターとは別体の箱状のキャビネットで構成された箱物の家具・設備全般に適用可能である。
【図面の簡単な説明】
【００４０】
【図１】洗面化粧台セットの構成部材を示す斜視図である。
【図２】洗面化粧台セットを用いて設置された洗面化粧台の側面図である。
【図３】洗面化粧台を壁の両入隅部に設置した場合の水平断面図である。
【図４】洗面化粧台を壁の片入隅部に設置した場合の水平断面図である。
【図５】洗面化粧台と側壁とのとりあい部分の拡大正面図である。
【符号の説明】
【００４１】
Ａ…洗面化粧台セット
Ａ１…洗面化粧台
１…カウンター
１ａ…洗面ボウル
２…キャビネット
２ａ…引き出し
2a1…前面板
２ｂ…側板
３…フィラー
４…側壁
５…コーキング材
６…隙間
７…隙間
【図１】
0005004720.tif 000002
【図２】
0005004720.tif 000003
【図３】
0005004720.tif 000004
【図４】
0005004720.tif 000005
【図５】
0005004720.tif 000006